【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
第１の色空間に対応した第１の画像データを入力する入力手段と、
前記入力手段により入力された第１の画像データを格納する格納手段と、
前記格納手段に格納された第１の画像データを読み出し、当該第１の画像データを前記第１の色空間とは異なる第２の色空間に対応した、複数の記録色のそれぞれに応じた第２の画像データに変換する変換手段と、
前記変換手段により変換された第２の画像データを、第１分割画像データと第２分割画像データに分割する分割手段と、
前記分割手段による分割を行う際、前記第１分割画像データのドットと前記第２分割画像データのドットとの重なりを低減させるために、前記第１分割画像データに基づき前記第２分割画像データを補正する補正手段とを有し、
前記変換手段による変換、前記分割手段による分割、前記補正手段による補正を、前記第１分割画像データ及び前記第２分割画像データに基づく画像の所定の記録単位毎に行うことを特徴とする画像処理装置。
【請求項２】
前記分割手段は、前記第２の画像データに基づく画像を記録媒体の同一領域において複数回で記録させるために、前記変換手段により変換された第２の画像データを、第１分割画像データと第２分割画像データに分割し、前記変換手段による変換、前記分割手段による分割、前記補正手段による補正を、前記複数回の記録のための１回分の記録毎に行うことを特徴とする請求項１に記載の画像処理装置。
【請求項３】
前記複数回の記録は、前記記録媒体上を前記複数の記録色に応じた記録ヘッドを走査しながら当該記録色に応じた記録剤を前記記録媒体に付与することにより行い、前記変換手段による変換、前記分割手段による分割、前記補正手段による補正は、前記記録ヘッドの１回の走査分毎に行うことを特徴とする請求項２に記載の画像処理装置。
【請求項４】
前記分割手段は、前記記録色に応じた記録ヘッド毎に分割することを特徴とする請求項１に記載の画像処理装置。
【請求項５】
前記補正手段は、前記第１の分割画像データを２値化した結果に基づき、前記第２の分割画像データを２値化した際に前記第１の分割画像データのドットとの重なりが低減するよう前記第２の分割画像データを補正することを特徴とする請求項１〜４のいずれか１項に記載の画像処理装置。
【請求項６】
前記第１の色空間に対応した第１の画像データは、ＲＧＢ色空間であることを特徴とする請求項１〜５のいずれか１項に記載の画像処理装置。
【請求項７】
第１の色空間に対応した第１の画像データを入力する入力工程と、
前記入力工程において入力された第１の画像データをメモリに格納する格納工程と、
前記格納工程においてメモリに格納された第１の画像データを読み出し、当該第１の画像データを前記第１の色空間とは異なる第２の色空間に対応した、複数の記録色のそれぞれに応じた第２の画像データに変換する変換工程と、
前記変換工程において変換された第２の画像データを、第１分割画像データと第２分割画像データに分割する分割工程と、
前記分割工程において分割を行う際、前記第１分割画像データのドットと前記第２分割画像データのドットとの重なりを低減させるために、前記第１分割画像データに基づき前記第２分割画像データを補正する補正工程とを有し、
前記変換工程による変換、前記分割工程による分割、前記補正工程による補正を、前記第１分割画像データ及び前記第２分割画像データに基づく画像の所定の記録単位毎に行うことを特徴とする画像処理方法。
【請求項８】
請求項７に記載の画像処理方法をコンピュータにより実現するためのプログラム。
【手続補正２】
【補正対象書類名】明細書
【補正対象項目名】発明の名称
【補正方法】変更
【補正の内容】
【発明の名称】画像処理装置および画像処理方法
【手続補正３】
【補正対象書類名】明細書
【補正対象項目名】０００１
【補正方法】変更
【補正の内容】
【０００１】
本発明は、画像処理装置および画像処理方法に関し、詳しくは、記録ヘッドの記録素子間の記録特性のばらつき、記録ヘッドの走査のゆらぎ、記録媒体の搬送誤差等に対し画質に関して耐性のある画像記録を可能とする記録用の画像データの処理に関するものである。
【手続補正４】
【補正対象書類名】明細書
【補正対象項目名】００２８
【補正方法】変更
【補正の内容】
【００２８】
本発明は、この問題を解決するためになされたものであり、その目的とするところは、記録用の画像データの分割において相関を持たせる構成において、メモリ容量を増すことを抑制した画像処理装置および画像処理方法を提供することにある。
【手続補正５】
【補正対象書類名】明細書
【補正対象項目名】００２９
【補正方法】変更
【補正の内容】
【００２９】
そのために本発明では、画像処理装置において、第１の色空間に対応した第１の画像データを入力する入力手段と、前記入力手段により入力された第１の画像データを格納する格納手段と、前記格納手段に格納された第１の画像データを読み出し、当該第１の画像データを前記第１の色空間とは異なる第２の色空間に対応した、複数の記録色のそれぞれに応じた第２の画像データに変換する変換手段と、前記変換手段により変換された第２の画像データを、第１分割画像データと第２分割画像データに分割する分割手段と、前記分割手段による分割を行う際、前記第１分割画像データのドットと前記第２分割画像データのドットとの重なりを低減させるために、前記第１分割画像データに基づき前記第２分割画像データを補正する補正手段とを有し、前記変換手段による変換、前記分割手段による分割、前記補正手段による補正を、前記第１分割画像データ及び前記第２分割画像データに基づく画像の所定の記録単位毎に行うことを特徴とする。
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】変更
【補正の内容】
【００３１】
また、画像処理方法において、第１の色空間に対応した第１の画像データを入力する入力工程と、前記入力工程において入力された第１の画像データをメモリに格納する格納工程と、前記格納工程においてメモリに格納された第１の画像データを読み出し、当該第１の画像データを前記第１の色空間とは異なる第２の色空間に対応した、複数の記録色のそれぞれに応じた第２の画像データに変換する変換工程と、前記変換工程において変換された第２の画像データを、第１分割画像データと第２分割画像データに分割する分割工程と、前記分割工程において分割を行う際、前記第１分割画像データのドットと前記第２分割画像データのドットとの重なりを低減させるために、前記第１分割画像データに基づき前記第２分割画像データを補正する補正工程とを有し、前記変換工程による変換、前記分割工程による分割、前記補正工程による補正を、前記第１分割画像データ及び前記第２分割画像データに基づく画像の所定の記録単位毎に行うことを特徴とする。
【手続補正８】
【補正対象書類名】明細書
【補正対象項目名】００３２
【補正方法】変更
【補正の内容】
【００３２】
以上の構成によれば、格納された第１の画像データを読み出して第２の画像データに変換し、変換後の画像データに対してその後の画像データ分割および補正が、所定の記録単位毎に行われる。その結果、記録用の画像データの分割において相関を持たせる構成において、メモリ容量を増すことを抑制することが可能となる。